(57)【要約】【課題】商品購入時の利用者の利便性を向上させることが可能な自動販売機を提供する。【解決手段】この自動販売機１は、表示部１３と、金銭が入金される入金部１２と、入金部１２への商品価格の一部の入金後に、入金額を商品価格から差し引いた差引金額の金額情報を含む残額ＱＲコード９２を表示部１３に表示するとともに、残額ＱＲコード９２が利用者のスマートフォン２により読み取られることに基づいて商品を販売する制御を行う制御部１６とを備える。【選択図】図１
2020047207.tif 000002
【特許請求の範囲】
【請求項１】
表示部と、
金銭が入金される入金部と、
前記入金部への商品価格の一部の入金後に、入金額を商品価格から差し引いた差引金額の金額情報を含む第１の情報コードを前記表示部に表示するとともに、前記第１の情報コードが利用者の携帯端末により読み取られることに基づいて商品を販売する制御を行う制御部とを備える、自動販売機。
【請求項２】
利用者が商品を選択する商品選択部をさらに備え、
前記制御部は、前記商品選択部において商品が選択された後で、かつ、前記入金部への入金前に、商品価格の満額の金額情報を含む第２の情報コードを前記表示部に表示するとともに、前記入金部への商品価格の一部の入金後に前記第２の情報コードに代えて前記第１の情報コードを前記表示部に表示する制御を行う、請求項１に記載の自動販売機。
【請求項３】
利用者により選択された商品を商品取出口に搬出する商品搬出部をさらに備え、
前記制御部は、前記第１の情報コードおよび前記第２の情報コードの一方が前記携帯端末により読み取られること、または、商品価格の満額の金銭が前記入金部から入金されたことに基づいて、前記商品搬出部により商品を搬出する制御を行う、請求項２に記載の自動販売機。
【請求項４】
前記第１の情報コードおよび前記第２の情報コードは、ＱＲコード（登録商標）を含む、請求項２または３に記載の自動販売機。
【請求項５】
金銭および前記第１の情報コードの両方を用いて商品を販売する併用モードを開始するための入力を受け付ける開始操作部をさらに備える、請求項１〜４のいずれか１項に記載の自動販売機。
【請求項６】
前記併用モードである場合に、金銭の入金額を確定して前記併用モードを終了するための入力を受け付ける終了操作部をさらに備え、
前記制御部は、金銭の入金額を確定して前記併用モードを終了するための入力を前記終了操作部により受け付けた場合には、前記第１の情報コードを前記表示部に表示する制御を行う、請求項５に記載の自動販売機。
【請求項７】
前記表示部は、タッチパネルを含み、
前記開始操作部および前記終了操作部は、それぞれ、前記タッチパネル上に表示されるように構成されている、請求項６に記載の自動販売機。
【発明の詳細な説明】
【技術分野】
【０００１】
この発明は、自動販売機に関し、特に、情報コードを用いて商品を販売する自動販売機に関する。
【背景技術】
【０００２】
従来、情報コードを用いて商品を販売する自動販売機が知られている（たとえば、特許文献１参照）。
【０００３】
上記特許文献１には、硬貨などの金銭が入金される入金部と、商品情報を含む２次元コードを表示する表示部とを備えた自動販売機が開示されている。自動販売機は、硬貨などの金銭を入金部に入金して商品を購入する場合に加えて、商品を購入しようとする利用者の携帯端末によって２次元コードを読み取られることにより、商品を購入可能なように構成されている。
【先行技術文献】
【特許文献】
【０００４】
【特許文献１】特開２０１６−９５５４７号公報
【発明の概要】
【発明が解決しようとする課題】
【０００５】
しかしながら、上記特許文献１のような自動販売機では、たとえば、利用者が金銭の入金のみにより商品を購入するために硬貨を入金している途中で硬貨が足りないことに気付いた場合、一旦、硬貨の払い戻しの操作を行った後に、携帯端末により２次元コードを読み取らせる操作を行うことによって、商品を購入しなければならず、利用者にとって利便性が低いという問題点がある。
【０００６】
この発明は、上記のような課題を解決するためになされたものであり、この発明の１つの目的は、商品購入時の利用者の利便性を向上させることが可能な自動販売機を提供することである。
【課題を解決するための手段】
【０００７】
この発明の一の局面による自動販売機は、表示部と、金銭が入金される入金部と、入金部への商品価格の一部の入金後に、入金額を商品価格から差し引いた差引金額の金額情報を含む第１の情報コードを表示部に表示するとともに、第１の情報コードが利用者の携帯端末により読み取られることに基づいて商品を販売する制御を行う制御部とを備える。
【０００８】
この発明の一の局面による自動販売機は、上記のように構成することによって、従来のような商品価格の一部の入金後に２次元コードを利用する場合には金銭の払い戻しが必要となる自動販売機とは異なり、入金部への商品価格の一部の入金後に、第１の情報コードを携帯端末により読み取って、入金額を商品価格から差し引いた差引金額を支払うことにより、金銭の払い戻しの操作を行うことなく商品を購入することができる。すなわち、金銭と第１の情報コードとの併用による商品購入が可能となるので、商品購入時の利用者の利便性を向上させることができる。また、外国人旅行者が国外に出国する際などに、手元にある金銭を使い切る形で、商品価格の一部を金銭により入金し、差引金額を、第１の情報コードを利用して支払うことができるので、利用者（外国人旅行者など）の利便性を向上させることができる。
【０００９】
上記一の局面による自動販売機において、好ましくは、利用者が商品を選択する商品選択部をさらに備え、制御部は、商品選択部において商品が選択された後で、かつ、入金部への入金前に、商品価格の満額の金額情報を含む第２の情報コードを表示部に表示するとともに、入金部への商品価格の一部の入金後に第２の情報コードに代えて第１の情報コードを表示部に表示する制御を行う。このように構成すれば、商品選択部の操作により、第２の情報コードを表示部に表示させて、商品価格の満額を、第２の情報コードを利用して支払うことができる。また、商品価格の満額の金額情報を含む第２の情報コードに代えて差引金額の金額情報を含む第１の情報コードが表示部に表示されるので、第２の情報コードと第１の情報コードとが表示部に同時に表示されるのを防止することができる。その結果、２つの情報コードにより利用者が混乱するのを防止することができる。
【００１０】
この場合、好ましくは、利用者により選択された商品を商品取出口に搬出する商品搬出部をさらに備え、制御部は、第１の情報コードおよび第２の情報コードの一方が携帯端末により読み取られること、または、商品価格の満額の金銭が入金部から入金されたことに基づいて、商品搬出部により商品を搬出する制御を行う。このように構成すれば、利用者に対して種々の商品搬出パターン（購入パターン）を提供することができるので、商品購入時の利用者の利便性をより向上させることができる。
【００１１】
上記第２の情報コードを表示部に表示する構成において、好ましくは、第１の情報コードおよび第２の情報コードは、ＱＲコード（登録商標）を含む。このように構成すれば、様々な場面で一般的に用いられているＱＲコードを用いることにより、商品購入時の利用者の利便性をより向上させることができる。
【００１２】
上記一の局面による自動販売機において、好ましくは、金銭および第１の情報コードの両方を用いて商品を販売する併用モードを開始するための入力を受け付ける開始操作部をさらに備える。このように構成すれば、併用モードではない通常のモードにおいて、商品価格の一部の入金毎に、差引金額の金額情報を含む第１の情報コードを更新する必要がなくなるので、制御部の制御負担を軽減することができる。また、利用者に開始操作部を操作させることにより、利用者は、金銭および第１の情報コードの併用により支払いを行うことを確実に認識した状態で、商品を購入することができる。
【００１３】
この場合、好ましくは、併用モードである場合に、金銭の入金額を確定して併用モードを終了するための入力を受け付ける終了操作部をさらに備え、制御部は、金銭の入金額を確定して併用モードを終了するための入力を終了操作部により受け付けた場合には、第１の情報コードを表示部に表示する制御を行う。このように構成すれば、終了操作部により、利用者の意思の下、入金額（残額）を確定することができるとともに、併用モードを終了して第１の情報コードを用いた携帯端末による残額の支払いを容易に行うことができる。
【００１４】
上記第２操作部を備える構成において、好ましくは、表示部は、タッチパネルを含み、開始操作部および終了操作部は、それぞれ、タッチパネル上に表示されるように構成されている。このように構成すれば、開始操作部および終了操作部を、それぞれ、機械式の操作部により構成する場合よりも、部品点数を削減することができるので、装置構成を簡素化することができる。
【発明の効果】
【００１５】
本発明によれば、上記のように、自動販売機における商品購入時の利用者の利便性を向上させることができる。
【図面の簡単な説明】
【００１６】
【図１】本発明の第１実施形態による自動販売機を含む自動販売機システムのブロック図である。
【図２】本発明の第１実施形態による自動販売機を示した正面図である。
【図３】本発明の第１実施形態による自動販売機の表示部に残額ＱＲコードが表示されている状態を示した図である。
【図４】本発明の第１実施形態による自動販売機の表示部に満額ＱＲコードが表示されている状態を示した図である。
【図５】本発明の第１実施形態による自動販売機の制御部による商品を販売するための制御処理を示したフローチャートである。
【図６】本発明の第２実施形態による自動販売機を含む自動販売機システムのブロック図である。
【図７】本発明の第２実施形態による自動販売機を示した正面図である。
【図８】本発明の第２実施形態による自動販売機の制御部による商品を販売するための制御処理を示したフローチャートである。
【発明を実施するための形態】
【００１７】
以下、本発明を具体化した実施形態を図面に基づいて説明する。
【００１８】
［第１実施形態］
図１〜図５を参照して、本発明の第１実施形態による自動販売機１の構成について説明する。
【００１９】
図１に示すように、第１実施形態の自動販売機１は、自動販売機システム１００の一構成要素である。自動販売機システム１００は、自動販売機１に加えて、スマートフォン２と、管理サーバ３とを備えている。自動販売機システム１００は、複数の自動販売機１（図１では１つの自動販売機１のみを図示）を備えている。なお、スマートフォン２は、特許請求の範囲の「携帯端末」の一例である。
【００２０】
自動販売機１およびスマートフォン２と、管理サーバ３とは、インターネットＮを介して互いに通信可能に構成されている。自動販売機システム１００は、自動販売機１の表示部１３に表示されたＱＲコード（登録商標）９０をスマートフォン２で読み取ることにより行われるＱＲコード決済を利用して商品を販売するためのシステムである。なお、ＱＲコード９０は、特許請求の範囲の「第１の情報コード」および「第２の情報コード」の一例である。
【００２１】
自動販売機システム１００（自動販売機１）では、商品を購入する際に、商品価格の一部を金銭（硬貨および紙幣を含む）で入金し、残額（差引金額）をＱＲコード決済により支払うことが可能である。
【００２２】
たとえば、自動販売機システム１００（自動販売機１）では、１００円の商品を購入する際に、１０円硬貨を自動販売機１の入金部１２に入金して、その後に残りの９０円分（差引金額）をＱＲコード決済により支払うことが可能である。詳細については後述する。
【００２３】
ＱＲコード９０には、商品の価格情報（後述する差引金額の金額情報を含む）と、選択された商品を他の商品と区別するための商品情報とが、少なくとも含まれている。
【００２４】
なお、自動販売機システム１００の利用者は、事前にクレジットカードに関する情報などの個人情報を含む決済情報３１を、自動販売機システム１００に登録しておく必要がある。決済情報３１は、管理サーバ３において管理される。
【００２５】
（スマートフォンの構成）
図１に示すように、スマートフォン２は、通信部２１と、ＱＲコード読取部２２と、記憶部２３と、制御部２４とを備えている。
【００２６】
通信部２１は、インターネットＮに接続されており、インターネットＮを介して管理サーバ３にＱＲコード決済に関する情報を送信し、および、管理サーバ３からＱＲコード決済に関する情報を受信することが可能に構成されている。
【００２７】
ＱＲコード読取部２２は、スマートフォン２が一般的に備えるカメラにより構成されており、動画を撮像するモードにより自動販売機１の表示部１３に表示されたＱＲコード９０を読み取る（認識する）ことが可能に構成されている。なお、ＱＲコード読取部２２は、自動販売機１の表示部１３に表示されたＱＲコード９０を静止画として撮像して読み取る（認識する）ことも可能に構成されている。
【００２８】
記憶部２３には、自動販売機システム１００を利用して商品を購入するための自動販売機利用アプリケーションソフトウェア２３ａが記憶されている。スマートフォン２は、自動販売機利用アプリケーションソフトウェア２３ａ内で、所定の操作をすることにより、ＱＲコード読取部２２を起動するように構成されている。
【００２９】
制御部２４は、自動販売機利用アプリケーションソフトウェア２３ａを実行するように構成されている。また、制御部２４は、ＱＲコード読取部２２により自動販売機１の表示部１３に表示されたＱＲコード９０を読み取った場合に、ＱＲコード決済を行うために、ＱＲコード９０に関する情報を含む所定の信号（ＱＲコード信号Ｓ１）を、通信部２１を介して管理サーバ３に送信するように構成されている。ＱＲコード９０に関する情報とは、たとえば、ＱＲコード９０の画像情報（画像データそのもの）や、ＱＲコード９０に含まれる価格情報、商品情報などである。
【００３０】
（管理サーバの構成）
図１に示すように、管理サーバ３は、自動販売機システム１００を利用する各利用者の決済情報３１、および、複数の自動販売機１に関する自動販売機管理情報３２などを管理している。自動販売機管理情報３２は、管理サーバ３と特定の自動販売機１との通信を確立するための自動販売機１の固有の識別情報を少なくとも含んでいる。
【００３１】
管理サーバ３は、スマートフォン２からＱＲコード信号Ｓ１を受信した場合には、発信者（自動販売機１の商品を購入しようとしているスマートフォン２の利用者）の決済情報３１を確認してＱＲコード決済が可能であるか否かを判断するように構成されている。すなわち、管理サーバ３は、利用者のクレジットカードの残額など確認する。
【００３２】
そして、管理サーバ３は、ＱＲコード決済が可能であると判断した場合には、所定の信号（決済信号Ｓ２）を、自動販売機１（スマートフォン２によりＱＲコード９０が読み取られた所定の自動販売機１）に送信するように構成されている。
【００３３】
（自動販売機の構成）
図１に示すように、自動販売機１は、通信部１１と、金銭が入金される入金部１２と、表示部１３と、商品選択部１４と、商品搬出部１５と、制御部１６とを備えている。
【００３４】
通信部１１は、インターネットＮに接続されており、インターネットＮを介して管理サーバ３にＱＲコード決済に関する情報を送信し、および、管理サーバ３からＱＲコード決済に関する情報を受信することが可能に構成されている。
【００３５】
図２に示すように、入金部１２は、硬貨を受け付ける硬貨投入部１２ａと、紙幣を受け付ける紙幣挿入部１２ｂとを含んでいる。
【００３６】
表示部１３は、液晶パネルを含んでおり、ＱＲコード９０を表示するように構成されている。ここで、表示部１３に表示されるＱＲコード９０には、入金額を商品価格から差し引いた差引金額の金額情報を含む残額ＱＲコード９２（図３参照）と、商品価格の満額の金額情報を含む満額ＱＲコード９１（図４参照）との２種類のＱＲコードがある。表示部１３は、残額ＱＲコード９２と満額ＱＲコード９１とを同時に表示することはなく、いずれか一方を表示するように構成されている。なお、残額ＱＲコード９２は、特許請求の範囲の「第１の情報コード」の一例である。また、満額ＱＲコード９１は、特許請求の範囲の「第２の情報コード」の一例である。
【００３７】
表示部１３は、残額ＱＲコード９２を表示する場合、利用者が満額ＱＲコード９１と区別できるように、満額ＱＲコード９１とは異なる態様で表示（色、配置を変えて表示など）し、または、差引金額の金額情報を含むＱＲコード９０であることを認識させる態様で表示（注意書きを合わせて表示など）するのが好ましい。
【００３８】
図１に示すように、商品選択部１４は、利用者が自動販売機１の商品を選択する際に用いられる。商品選択部１４は、自動販売機１の前面に陳列された商品ごとに設けられる複数のボタンを含んでいる。商品選択部１４により商品が選択されると、表示部１３に満額ＱＲコード９１が表示される。
【００３９】
商品搬出部１５は、利用者により選択された商品を、商品収納部（図示せず）から商品取出口１５ａ（図２参照）に搬出するように構成されている。商品搬出部１５は、商品収納部から利用者に選択された商品を取り出すための駆動部（図示せず）や、駆動部により取り出された商品を搬出するための搬出経路（図示せず）などを含んでいる。商品搬出部１５は、管理サーバ３から送信された決済信号Ｓ２を自動販売機１（制御部１６）が受信したことをトリガーとして、商品の搬出を開始する。
【００４０】
〈自動販売機の制御部の構成〉
図１に示す制御部１６は、商品選択部１４において商品が選択された後で、かつ、入金部１２への入金前に、商品価格の満額の金額情報を含む満額ＱＲコード９１（図４参照）を表示部１３に表示するとともに、入金部１２への商品価格の一部の入金後に満額ＱＲコード９１に代えて残額ＱＲコード９２（図３参照）を表示部１３に表示する制御を行う。
【００４１】
また、制御部１６は、入金部１２への商品価格の一部の入金後に、入金額を商品価格から差し引いた差引金額の金額情報を含む残額ＱＲコード９２を表示部１３に表示するとともに、残額ＱＲコード９２が利用者のスマートフォン２により読み取られることに基づいて商品を販売（搬出）する制御を行う。詳細には、残額ＱＲコード９２が利用者のスマートフォン２により読み取られた場合、上記説明したように、スマートフォン２から管理サーバ３にＱＲコード信号Ｓ１が送信され、その後、管理サーバ３から自動販売機１に決済信号Ｓ２が送信される（但し、ＱＲコード決済が可能でない場合には送信されない）。そして、制御部１６は、決済信号Ｓ２を受信したことに基づいて商品を搬出（販売）する。
【００４２】
また、制御部１６は、残額ＱＲコード９２および満額ＱＲコード９１の一方がスマートフォン２により読み取られること、または、商品価格の満額の金銭が入金部１２から入金されたことに基づいて、商品搬出部１５により商品を搬出する制御を行う。要するに、自動販売機１から商品を購入するパターンとしては、金銭のみによる場合と、ＱＲコード９０のみによる場合と、金銭およびＱＲコード９０の併用による場合との３つの購入パターンがある。
【００４３】
上記制御部１６の各構成の詳細については、以下の制御部１６による制御処理とともに説明する。
【００４４】
（自動販売機の制御部による制御処理）
次に、図５を参照して、自動販売機１の制御部１６による商品を販売するための制御処理フローについて説明する。なお、以下の説明では、利用者の決済情報３１がＱＲコード決済可能な状態にあることを前提として説明する。
【００４５】
まず、ステップＳ１において、制御部１６により、商品選択部１４において所定の商品が選択されたことを示す信号が受信される。すなわち、制御部１６により、商品選択部１４のいずれかのボタンが押されたことが把握される。
【００４６】
次に、ステップＳ２において、制御部１６により、表示部１３に満額ＱＲコード９１が表示される。たとえば、利用者により商品価格が１００円の所定の商品が選択され場合、商品価格が１００円であることを示す価格情報と、選択された商品を他の商品と区別するための商品情報とを含む満額ＱＲコード９１が表示される。
【００４７】
次に、ステップＳ３において、制御部１６により、入金部１２から金銭が入金されたか否かが判断される。入金部１２から金銭が入金されない場合には、ステップＳ４に進む。一方、入金部１２から金銭が入金された場合には、ステップＳ６に進む。
【００４８】
次に、ステップＳ４において、制御部１６により、ＱＲコード決済が行われたか否かが判断される。すなわち、表示部１３に表示された満額ＱＲコード９１が、スマートフォン２により読み取られたか否かが判断される。ＱＲコード決済が行われた場合には、ステップＳ５に進む。一方、ＱＲコード決済が行われない場合には、ステップＳ３に戻る。
【００４９】
次に、ステップＳ５において、制御部１６により、商品搬出部１５を介して商品が商品取出口１５ａに搬出される。すなわち、制御部１６は、満額ＱＲコード９１がスマートフォン２により読み取られることに基づいて、商品搬出部１５により商品を搬出（販売）する制御を行う。つまり、利用者は、金銭を入金することなく、表示部１３に表示されたＱＲコード９０（満額ＱＲコード９１）をスマートフォン２で読み取ることのみにより商品を購入する。
【００５０】
また、ステップＳ６において、制御部１６により、金銭の入金額が商品価格以上であるか否かが判断される。金銭の入金額が商品価格以上である場合には、ステップＳ５に進み、商品搬出部１５により商品が搬出される。すなわち、制御部１６は、商品価格の満額（満額以上を含む）の金銭が入金部１２から入金されたことに基づいて、商品搬出部１５により商品を搬出（販売）する制御を行う。つまり、利用者は、金銭を入金部１２に入金することのみにより商品を購入する。一方、金銭の入金額が商品価格未満である場合には、ステップＳ７に進む。
【００５１】
次に、ステップＳ７において、制御部１６により、金銭の入金額に基づく残額ＱＲコード９２が作成され、満額ＱＲコード９１に代えて、残額ＱＲコード９２が表示部１３に表示される。たとえば、商品価格が１００円であり、上記ステップＳ６において、入金された金銭が１０円である場合には、入金額を商品価格から差し引いた差引金額である９０円の金額情報を含む残額ＱＲコード９２が表示部１３に表示される。そして、ステップＳ４に進む。ステップＳ４において、ＱＲコード決済が行われた場合には、ステップＳ５に進み、商品搬出部１５により商品が搬出される。すなわち、制御部１６は、残額ＱＲコード９２がスマートフォン２により読み取られることに基づいて、商品搬出部１５により商品を搬出（販売）する制御を行う。つまり、利用者は、商品価格の一部の金銭を入金部１２に入金すること、および、金銭の入金後に表示部１３に表示された新たなＱＲコード９０（満額ＱＲコード９１とは異なる残額ＱＲコード９２）をスマートフォン２で読み取ることの併用により商品を購入する。
【００５２】
以上の制御処理によって、制御部１６による制御の下、３つの購入パターンで商品の販売が行われる。
【００５３】
（第１実施形態の効果）
第１実施形態では、以下のような効果を得ることができる。
【００５４】
第１実施形態では、上記のように、従来のような商品価格の一部の入金後に２次元コードを利用する場合には金銭の払い戻しが必要となる自動販売機とは異なり、入金部１２への商品価格の一部の入金後に、残額ＱＲコード９２をスマートフォン２により読み取って、入金額を商品価格から差し引いた差引金額を支払うことにより、金銭の払い戻しの操作を行うことなく商品を購入することができる。すなわち、金銭と残額ＱＲコード９２との併用による商品購入が可能となるので、商品購入時の利用者の利便性を向上させることができる。また、外国人旅行者が国外に出国する際などに、手元にある金銭を使い切る形で、商品価格の一部を金銭により入金し、差引金額を、残額ＱＲコード９２を利用して支払うことができるので、利用者（外国人旅行者など）の利便性を向上させることができる。
【００５５】
また、第１実施形態では、上記のように、利用者が商品を選択する商品選択部１４をさらに備え、制御部１６は、商品選択部１４において商品が選択された後で、かつ、入金部１２への入金前に、商品価格の満額の金額情報を含む満額ＱＲコード９１を表示部１３に表示するとともに、入金部１２への商品価格の一部の入金後に満額ＱＲコード９１に代えて残額ＱＲコード９２を表示部１３に表示する制御を行う。これにより、商品選択部１４の操作により、満額ＱＲコード９１を表示部１３に表示させて、商品価格の満額を、満額ＱＲコード９１を利用して支払うことができる。また、商品価格の満額の金額情報を含む満額ＱＲコード９１に代えて差引金額の金額情報を含む残額ＱＲコード９２が表示部１３に表示されるので、満額ＱＲコード９１と残額ＱＲコード９２とが表示部１３に同時に表示されるのを防止することができる。その結果、利用者が混乱するのを防止することができる。
【００５６】
また、第１実施形態では、上記のように、利用者により選択された商品を商品取出口１５ａに搬出する商品搬出部１５をさらに備え、制御部１６は、残額ＱＲコード９２および満額ＱＲコード９１の一方がスマートフォン２により読み取られること、または、商品価格の満額の金銭が入金部１２から入金されたことに基づいて、商品搬出部１５により商品を搬出する制御を行う。これにより、利用者に対して種々の商品搬出パターン（購入パターン）を提供することができるので、２つのＱＲコード９０により商品購入時の利用者の利便性をより向上させることができる。
【００５７】
また、第１実施形態では、上記のように、ＱＲコード９０（残額ＱＲコード９２および満額ＱＲコード９１）を用いて商品を販売する。これにより、様々な場面で一般的に用いられているＱＲコード９０を用いることによって、商品購入時の利用者の利便性をより向上させることができる。
【００５８】
［第２実施形態］
次に、図６〜図８を参照して、第２実施形態の自動販売機２０１について説明する。この第２実施形態では、上記第１実施形態とは異なり、金銭とＱＲコード９０とを併用するための併用モードが設けられている例について説明する。なお、第２実施形態において、第１実施形態と同様の構成に関しては、同じ符号を付して説明を省略する。
【００５９】
本発明の第２実施形態による自動販売機２０１は、図６に示すように、自動販売機システム２００の一構成要素である。自動販売機システム２００は、自動販売機２０１と、スマートフォン２（図１参照）と、管理サーバ３（図１参照）とを備えている。
【００６０】
自動販売機２０１には、金銭および残額ＱＲコード９２の両方を用いて商品を販売するための併用モードが設けられている。
【００６１】
自動販売機２０１は、表示部２１３と、開始操作部２１７と、終了操作部２１８と、制御部２１６とを備えている。
【００６２】
表示部２１３は、タッチパネル式の表示部である。すなわち、表示部２１３は、液晶パネルおよびタッチパネルを含んでおり、ＱＲコード９０を表示するように構成されている。また、表示部２１３は、ＱＲコード９０に並ぶように開始操作部２１７および終了操作部２１８も表示するように構成されている（図７参照）。
【００６３】
開始操作部２１７は、併用モードを開始するための入力を受け付ける操作ボタンである。
【００６４】
終了操作部２１８は、併用モードである場合に、金銭の入金額を確定して併用モードを終了するための入力を受け付ける操作ボタンである。
【００６５】
制御部２１６は、開始操作部２１７が操作される（押される）ことにより、通常販売モードから併用モードに切り換えるように構成されている。通常販売モードとは、金銭および残額ＱＲコード９２（図３参照）の一方のみを用いて商品を販売するためのモードである。
【００６６】
また、制御部２１６は、金銭の入金額を確定して併用モードを終了するための入力を終了操作部２１８により受け付けた場合には、残額ＱＲコード９２を表示部２１３に表示する制御を行う。
【００６７】
（自動販売機の制御部による制御処理）
次に、図８を参照して、自動販売機２０１の制御部２１６による商品を販売するための制御処理フローについて説明する。なお、ステップＳ１〜ステップＳ５およびステップＳ７については、上記第１実施形態と同様であるため説明を省略し、または、簡単に説明する。
【００６８】
まず、ステップＳ１およびステップＳ２の後、ステップＳ２１において、制御部２１６により、併用モードを開始するために開始操作部２１７が操作されたか否かが判断される。開始操作部２１７が操作されない場合には、ステップＳ３に進む。一方、開始操作部２１７が操作された場合には、ステップＳ２２に進む。なお、開始操作部２１７が操作されたということは、利用者が、商品価格の一部を金銭で入金し、残りをＱＲコード決済により支払う意思を持っているということである。
【００６９】
次に、ステップＳ２２において、制御部２１６により、併用モードに設定される。また、ステップＳ２２において、制御部２１６により、表示部２１３に表示されている満額ＱＲコード９１が非表示にされる。
【００７０】
次に、ステップＳ２３において、制御部２１６により、入金部１２に商品価格の一部の金銭が入金されたことが認識される。
【００７１】
次に、ステップＳ２４において、制御部２１６により、金銭の入金額を確定して、併用モードを終了するために開始操作部２１７が操作されたことが認識される。次に、ステップＳ７において、制御部２１６により、残額ＱＲコード９２が表示部１３に表示される。
【００７２】
なお、第２実施形態のステップＳ３は、商品価格の満額の金銭が入金されるか否かを判断するステップであるため、ステップＳ３で商品価格の一部の金銭が入金されたとしても残額ＱＲコード９２が表示部１３に表示されることはない。また、ステップＳ４において、ＱＲコード決済がされない場合には、ステップＳ２１に戻る。
【００７３】
以上の制御処理によって、制御部２１６による制御の下、３つの購入パターンで商品の販売が行われる。
【００７４】
第２実施形態のその他の構成は、上記第１実施形態と同様である。
【００７５】
（第２実施形態の効果）
第２実施形態では、以下のような効果を得ることができる。
【００７６】
第２実施形態では、上記第１実施形態と同様に、従来のような商品価格の一部の入金後に２次元コードを利用する場合には金銭の払い戻しが必要となる自動販売機とは異なり、入金部１２への商品価格の一部の入金後に、残額ＱＲコード９２をスマートフォン２により読み取って、入金額を商品価格から差し引いた差引金額を支払うことにより、金銭の払い戻しの操作を行うことなく商品を購入することができる。すなわち、金銭と残額ＱＲコード９２との併用による商品購入が可能となるので、商品購入時の利用者の利便性を向上させることができる。また、外国人旅行者が国外に出国する際などに、手元にある金銭を使い切る形で、商品価格の一部を金銭により入金し、差引金額を、残額ＱＲコード９２を利用して支払うことができるので、利用者（外国人旅行者など）の利便性を向上させることができる。
【００７７】
また、第２実施形態では、上記のように、金銭および残額ＱＲコード９２の両方を用いて商品を販売する併用モードを開始するための入力を受け付ける開始操作部２１７をさらに備える。これにより、併用モードではない通常のモードにおいて、商品価格の一部の入金毎に、差引金額の金額情報を含む残額ＱＲコード９２を更新する必要がなくなるので、制御部２１６の制御負担を軽減することができる。また、利用者に開始操作部２１７を操作させることにより、利用者は、金銭および残額ＱＲコード９２の併用により支払いを行うことを確実に認識した状態で、商品を購入することができる。
【００７８】
また、第２実施形態では、上記のように、併用モードである場合に、金銭の入金額を確定して併用モードを終了するための入力を受け付ける終了操作部２１８をさらに備え、制御部２１６は、金銭の入金額を確定して併用モードを終了するための入力を終了操作部２１８により受け付けた場合には、残額ＱＲコード９２を表示部２１３に表示する制御を行う。これにより、終了操作部２１８により、利用者の意思の下、入金額（残額）を確定することができるとともに、併用モードを終了して残額ＱＲコード９２を用いたスマートフォン２による残額の支払いを容易に行うことができる。
【００７９】
また、第２実施形態では、上記のように、表示部２１３は、タッチパネルを含み、開始操作部２１７および終了操作部２１８は、それぞれ、タッチパネル上に表示されるように構成されている。これにより、開始操作部２１７および終了操作部２１８を、それぞれ、機械式の操作部により構成する場合よりも、部品点数を削減することができるので、装置構成を簡素化することができる。
【００８０】
第２実施形態のその他の効果は、上記第１実施形態と同様である。
【００８１】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００８２】
たとえば、上記第１および第２実施形態では、本発明の第１の情報コードおよび第２の情報コードを、ＱＲコードにより構成した例を示したが、本発明はこれに限られない。本発明では、第１の情報コードおよび第２の情報コードを、バーコードなどのＱＲコード以外の情報コードにより構成してもよい。
【００８３】
また、上記第１および上記第２実施形態では、金銭を、硬貨および紙幣とした例を示したが、本発明はこれに限られない。本発明では、金銭が、さらに、電子マネーなどを含んでいてもよい。
【００８４】
また、上記第１および上記第２実施形態では、商品選択部により商品が選択された後に、金銭を入金可能なように、自動販売機を構成した例を示したが、本発明はこれに限られない。本発明では、商品選択部により商品が選択される前に、金銭を入金可能なように、自動販売機を構成してもよい。たとえば、商品価格の一部の金銭が入金された後、商品が選択され、その後、残額ＱＲコードを表示するようにしてもよい。
【００８５】
また、上記第１および上記第２実施形態では、商品選択部により商品が選択された後に、満額ＱＲコードを表示させた例を示したが、本発明はこれに限られない。本発明では、たとえば、商品選択部により商品が選択される前から、商品ごとに満額ＱＲコードを表示させてもよい。
【００８６】
また、上記第１および上記第２実施形態では、本発明の携帯端末を、スマートフォンにより構成した例を示したが、本発明はこれに限られない。本発明では、携帯端末を、通話機能を有さない情報端末などのスマートフォン以外の端末により構成してもよい。
【００８７】
また、上記第１および上記第２実施形態では、インターネットを介して自動販売機を含む各構成要素が互いに通信可能なように、自動販売機システムを構成した例を示したが、本発明はこれに限られない。本発明では、インターネット以外の通信回線を介して自動販売機を含む各構成要素が互いに通信可能なように、自動販売機システムを構成してもよい。
【００８８】
また、上記第１および上記第２実施形態で示したＱＲコード信号や決済信号などを利用するＱＲコード決済は、一例であり、上記説明した方法とは異なる方法によりＱＲコード決済を行ってもよい。
【００８９】
また、上記第１および上記第２実施形態では、説明の便宜上、制御部の処理を処理フローに沿って順番に処理を行うフロー駆動型のフローを用いて説明したが、本発明はこれに限られない。本発明では、制御部の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００９０】
また、上記第２実施形態では、開始操作部および終了操作部をタッチパネル式の表示部に表示させた例を示したが、本発明はこれに限られない。本発明では、開始操作部および終了操作部を、タッチパネル式の表示部に表示させることなく、機械式のボタンにより構成するなどしてもよい。
【００９１】
また、上記第２実施形態では、自動販売機が終了操作部を備える例を示したが、本発明はこれに限られない。本発明では、自動販売機が終了操作部を備えていなくてもよい。この場合、たとえば、制御部は、開始操作部が操作されて（押されて）から所定時間経過後に、入金額を確定するとともに、併用モードを終了する制御を行ってもよい。
【符号の説明】
【００９２】
１、２０１  自動販売機
２  携帯端末
１２  入金部
１３、２１３  表示部
１４  商品選択部
１５  商品搬出部
１５ａ  商品取出口
１６、２１６  制御部
９０  ＱＲコード
９１  満額ＱＲコード（第２の情報コード）
９２  残額ＱＲコード（第１の情報コード）
２１７  開始操作部
２１８  終了操作部
【図１】
2020047207.tif 000003
【図２】
2020047207.tif 000004
【図３】
2020047207.tif 000005
【図４】
2020047207.tif 000006
【図５】
2020047207.tif 000007
【図６】
2020047207.tif 000008
【図７】
2020047207.tif 000009
【図８】
2020047207.tif 000010